【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
テレビ放送番組の番組映像画面の映像音声信号を記憶させる映像音声処理手段と、ＣＭ領域の位置データを逐次マーキングとして記憶させるマーキング処理手段と、ＣＭリターンキーの入力に応じて前記マーキングとして記憶された各ＣＭ領域の位置データを読み込んで前記記憶されている映像音声信号の前記マーキングとしたＣＭ領域の位置データで指定される位置から再生動作を開始させる再生制御手段とからなるテレビ放送番組見逃し防止装置を備えたことを特徴とする映像表示装置。
【請求項２】
前記ＣＭリターンキーの入力の回数に応じて、対応する回数だけ前の前記マーキングとしたＣＭ領域の位置データで指定される位置から再生動作を開始させる再生制御手段とからなるテレビ放送番組見逃し防止装置を備えたことを特徴とする請求項１記載の映像表示装置。
【請求項３】
テレビ放送番組の番組映像画面の映像音声信号を記憶するとともに、各ＣＭ領域の位置データをマーキングとし、そのマーキングとしたＣＭ領域の位置データを読み込んで、ＣＭリターンキーの入力に応じて、前記記憶されている映像音声信号の予め設定されたマーキングとしたＣＭ領域の位置データで指定される位置から再生動作を開始することを特徴したテレビ放送番組見逃し防止方法。
【請求項４】
前記ＣＭリターンキーの入力の回数に応じて、対応する回数だけ前の前記マーキングとしたＣＭ領域の位置データで指定される位置から再生動作を開始させることを特徴とする請求項３記載のテレビ放送番組見逃し防止方法。
【手続補正２】
【補正対象書類名】明細書
【補正対象項目名】０００７
【補正方法】変更
【補正の内容】
【０００７】  かかる課題を解決するために、本発明は以下のとおりの手段を構成するものである。請求項１の発明の映像表示装置は、テレビ放送番組の番組映像画面の映像音声信号を記憶させる映像音声処理手段と、ＣＭ領域の位置データを逐次マーキングとして記憶させるマーキング処理手段と、ＣＭリターンキーの入力に応じて前記マーキングとして記憶された各ＣＭ領域の位置データを読み込んで前記記憶されている映像音声信号の前記マーキングとしたＣＭ領域の位置データで指定される位置から再生動作を開始させる再生制御手段とからなるテレビ放送番組見逃し防止装置を備えたことを特徴とする。さらに、具体的には、テレビ放送番組の番組映像画面の映像音声信号を記憶させる映像音声処理手段と、前記映像音声信号の音声信号から各音声モードを判別する音声判別処理手段と、前記音声判別処理手段から取得した音声モード判別信号から各音声モード間の遷移を検出して前記映像音声信号の各ＣＭ領域の位置データを得る音声情報処理手段と、前記記憶された映像音声信号の再生動作を制御する再生操作手段のＯＮ操作によって前記音声情報処理手段から取得した前記映像音声信号の各ＣＭ領域の位置データをマーキングとして記憶させるマーキング処理手段と、前記記憶されたマーキングとした各ＣＭ領域の位置データを読み込んで前記記憶されている映像音声信号の予め設定された前記マーキングとしたＣＭ領域の位置データで指定される位置から再生動作を開始させる再生制御手段とを備える番組見逃し防止装置に係わるものである。
【手続補正３】
【補正対象書類名】明細書
【補正対象項目名】０００８
【補正方法】変更
【補正の内容】
【０００８】  請求項２の発明の映像表示装置は、前記ＣＭリターンキーの入力の回数に応じて、対応する回数だけ前の前記マーキングとしたＣＭ領域の位置データで指定される位置から再生動作を開始させる再生制御手段とからなるテレビ放送番組見逃し防止装置を備えたことを特徴とする。さらに、具体的には、再生操作手段のＯＮ操作により記憶された映像音声信号の再生動作を開始させるとき、前記再生操作手段のＯＮ操作回数に応じて予め設定されたマーキングとしたＣＭ領域の位置データで指定される位置から再生動作を開始させる再生制御手段を備える番組見逃し防止装置に係わるものである。
【手続補正４】
【補正対象書類名】明細書
【補正対象項目名】０００９
【補正方法】変更
【補正の内容】
【０００９】  請求項３の発明のテレビ放送番組見逃し防止方法は、テレビ放送番組の番組映像画面の映像音声信号を記憶するとともに、各ＣＭ領域の位置データをマーキングとし、そのマーキングとしたＣＭ領域の位置データを読み込んで、ＣＭリターンキーの入力に応じて、前記記憶されている映像音声信号の予め設定されたマーキングとしたＣＭ領域の位置データで指定される位置から再生動作を開始することを特徴した。さらに、具体的には、テレビ放送番組の番組映像画面の映像音声信号を記憶するとともに、前記映像音声信号の音声信号から判別した各音声モード間の遷移の検出によって前記映像音声信号の各ＣＭ領域の位置データを検出しておき、その後、前記記憶されている映像音声信号の再生動作を開始するとき、前記映像音声信号の各ＣＭ領域の位置データをマーキングとし、そのマーキングとしたＣＭ領域の位置データを読み込んで、前記記憶されている映像音声信号の予め設定されたマーキングとしたＣＭ領域の位置データで指定される位置から再生動作を開始させる番組見逃し防止方法に係わるものである。
【手続補正５】
【補正対象書類名】明細書
【補正対象項目名】００１０
【補正方法】変更
【補正の内容】
【００１０】  請求項４の発明のテレビ放送番組見逃し防止方法は、前記ＣＭリターンキーの入力の回数に応じて、対応する回数だけ前の前記マーキングとしたＣＭ領域の位置データで指定される位置から再生動作を開始させることを特徴とする。さらに、具体的には、前記記憶されている映像音声信号の再生動作を開始するとき、再生動作を開始する前記映像音声信号の予め設定されたマーキングとしたＣＭ領域の位置データが、再生操作手段のＯＮ操作による操作回数に応じて予め設定されたマーキングとしたＣＭ領域の位置データである番組見逃し防止方法に係わるものである。
【手続補正６】
【補正対象書類名】明細書
【補正対象項目名】００１３
【補正方法】変更
【補正の内容】
【００１３】  本発明を実施するための最良の形態について説明する。図１におけるテレビジョン装置（映像表示装置）の見逃し防止装置４の構成は、本発明を実施するための最良の形態を示すものであって、テレビ放送番組映像画面の映像音声信号を記録媒体４２に記憶する映像音声処理手段４１と、前記映像音声信号の音声信号から各音声モードを判別する音声判別処理手段４３と、前記音声判別処理手段４３から取得した音声モード判別信号から音声動作モードの遷移を検出して前記映像音声信号の各ＣＭ領域の位置データを得る音声情報処理手段４５１と、前記各ＣＭ領域の位置データをマークキングとして、そのマーキングとした各ＣＭ領域の位置データをメモリ４４に書込み及び読出しを行うマーキング処理手段４５２と、予め設定されたマーキングとしたＣＭ領域の位置データで指定される位置から再生動作を開始させる再生制御手段４５３を構成して、前記記録媒体４２に記憶された番組映像画面の映像音声信号を再生動作するとき、操作手段５のＯＮ操作の回数で設定したマーキングとしたＣＭ領域の位置データで指定される位置から再生動作が開始するようにしたものである。
【手続補正７】
【補正対象書類名】明細書
【補正対象項目名】００１５
【補正方法】変更
【補正の内容】
【００１５】  図２は本発明の番組見逃し防止方法を説明するフローチャート、図３は本発明における番組映像音声信号のＣＭ領域の検出及びマーキング位置を説明する動作模式図、図４は本発明における番組映像音声信号のＣＭ領域の位置と、見逃した映像場面を含んだ番組映像画面の再生開始位置との関係を説明する動作模式図、及び、図５はディスプレイ装置（図１）に表示される映像画面の例（メニュー画面）を示すものである。
【手続補正８】
【補正対象書類名】明細書
【補正対象項目名】００１７
【補正方法】変更
【補正の内容】
【００１７】  ユーザは、このような通常の番組映像画面を視聴しているとき、何らかの用事ができて席を離れ、ある時間後に用事を済ませて席に戻り、見逃した映像場面を視聴しようとするときのために、まず、操作部５の操作によって、ディスプレイ装置１にメニュー画面（図５）を表示させて、ＣＭリターンキーを選択し、「ＯＮ」を選択しておく（［ステップ：Ｓ０２］）。ＣＭリターンキーをＯＮ操作すると、［ステップ：Ｓ０２］において「Ｙｅｓ」となり、映像音声信号が、見逃し防止装置の映像音声処理部４１おいてディジタル処理されて、前記記録媒体４２に記録（記憶）されている映像音声信号に基づく番組映像画面が、一旦、ディスプレイ装置１の表示部に映し出される（［ステップ：Ｓ０４］）。ここにおいて、映像音声信号を前記記録媒体４２に記録（記憶）させておくことは必須であるが、必ずしも、ディスプレイ装置１に表示する映像は前記記録媒体４２に記録（記憶）させたものでなく、番組を直接表示しても良い。
【手続補正９】
【補正対象書類名】明細書
【補正対象項目名】００１８
【補正方法】変更
【補正の内容】
【００１８】  ここで、［ステップ：Ｓ０２］において「Ｎｏ」の場合は、通常のテレビ放送番組の番組映像画面がディスプレイ装置１の表示部に映し出される（［ステップ：Ｓ０３］）。この［ステップ：Ｓ０２］においてＣＭリターンキーをＯＮ操作しておくと、見逃し防止装置４においては、ＣＭの有無が検出される。その方法としては、例えば、音声判別処理部４３において、番組映像音声信号における音声信号の、ステレオ／モノラル、二ヶ国語など各音声モードからステレオ／モノラルの音声モードが判別され、判別されたステレオ／モノラルの音声モードをマイコン４５に出力して、マイコン４５内の音声情報処理装置（４５１）において、図３ａに示すような、ステレオ音声モードからモノラル音声モードへ遷移する位置、あるいはモノラル音声モードからステレオ音声モードへ遷移する位置が検出され、番組映像音声信号のＣＭ領域の開始位置データあるいは終了位置データが検出される（［ステップ：Ｓ０５］）。ここで、［ステップ：Ｓ０５］において、「Ｎｏ」（ＣＭ領域の不存在）の場合は、この［ステップ：Ｓ０５］の判断が引き続き行われる。なお、本実施例におけるＣＭの有無の検出方法は、上述した方法により行うものではあるが、他の検出方法として、音声信号のミュート部分（音声無しの部分）と映像信号の黒ミュート部分（映像信号無しの部分）の検出でもＣＭ領域の開始位置データあるいは終了位置データを検出する事は可能である。
【手続補正１０】
【補正対象書類名】明細書
【補正対象項目名】００１９
【補正方法】変更
【補正の内容】
【００１９】  次に、前記［ステップ：Ｓ０５］において「Ｙｅｓ」（ＣＭ領域の存在）の場合、マーキング処理部４５２において、図３ｂに示すように、ＣＭ領域開始時の位置データあるいはＣＭ領域終了時の位置データを「マーキングＡ，Ｂ，Ｃ，・・・」（この場合は、ＣＭ領域終了時の位置）として、そのＣＭ領域の位置データをメモリ４４に記憶する（［ステップ：Ｓ０６］）。ここで、マーキング（Ａ，Ｂ，Ｃ，・・・）としたＣＭ領域の位置データ数は、図３ｂに示すように、視聴者が、用事を済ませて見逃した番組映像場面を視聴するまでの時間が長くなる場合を考慮して、多くのＣＭ領域（ＣＭ１，ＣＭ２，ＣＭ３，・・・）の位置データにする必要があるので、前記［ステップＳ０６］におけるマーキング（Ａ，Ｂ，Ｃ，・・・）位置データの記憶は、メモリ４４の記憶容量が許される範囲まで記憶するのが好ましい。なお、上記マーキング（Ａ，Ｂ，Ｃ，・・・）位置データは、ＣＭ領域開始時の位置データでもよいことはいうまでもない。
【手続補正１１】
【補正対象書類名】明細書
【補正対象項目名】００２１
【補正方法】変更
【補正の内容】
【００２１】  ここで、メモリ４４にＣＭリターンキー入力が記憶されているか否かの判断が行われる（［ステップ：Ｓ０７］）。［ステップ：Ｓ０７］において、「Ｎｏ」（ＣＭリターンキー入力の不存在）の場合は、前記［ステップ：Ｓ０５］の判断が引き続き行われる。［ステップ：Ｓ０７］において、「Ｙｅｓ」（ＣＭリターンキー入力の存在）の場合は、視聴者が見逃した番組映像場面を視聴しようとするときに操作部５（図１）によるＣＭリターンキーのＯＮ操作の操作回数がカウントされる（［ステップ：Ｓ０８］）。次に、［ステップ：Ｓ０８］において、ＣＭリターンキーのＯＮ操作の操作回数をカウントすると、図４に示すように、「現在位置」（ＣＭリターンキーのＯＮ操作した時点）からカウント回数（例えば、３回）分だけ戻った、「見逃し映像場面開始位置」前直近のマーキングＡとしたＣＭ１領域の位置データ（ＣＭ１領域の終了位置）が、メモリ４４から再生制御部４５３に読み込まれる（［ステップＳ０９］）。
【手続補正１２】
【補正対象書類名】明細書
【補正対象項目名】００２７
【補正方法】変更
【補正の内容】
【００２７】  １  表示部を有するディスプレイ装置  ２  テレビジョン装置のチューナ  ３  テレビジョン装置の映像表示処理部  ４  番組見逃し防止装置    ５  操作部  ４１  映像音声処理部    ４２  記録媒体  ４３  音声判別処理部  ４４  メモリ  ４５  マイコン  ４５１  音声情報処理部  ４５２  マーキング処理部  ４５３  再生制御部